(57)【特許請求の範囲】
【請求項１】
貨幣を受付け、該受付け貨幣の識別を行う貨幣処理手段と、該貨幣処理手段より排出された排出貨幣を、複数の遊技機が並設された遊技島の所定方向へ搬送する貨幣搬送手段と、遊技機における遊技に使用可能な遊技用有価価値の大きさを特定可能な情報が記録された遊技用記録媒体を受付け、該受付けた遊技用記録媒体の記録情報を少なくとも読み出し可能な遊技用記録媒体処理手段と、を具備し、前記貨幣処理手段にて識別された受付金額に相当する遊技用有価価値の大きさを特定可能な情報が記録された遊技用記録媒体を発行する発行処理、或いは前記受付金額に該当する遊技用有価価値の大きさを遊技用記録媒体の記録情報より特定される遊技用有価価値に加算更新する価値加算処理が可能な遊技用装置であって、前記貨幣処理手段は、前記排出貨幣を貯留するための貯留部を有し、前記遊技用装置は、前記排出貨幣の排出方向を、前記貯留部或いは貨幣搬送手段のいずれかに切り替える排出方向切り替え手段と、該排出方向切り替え手段の排出方向を切り替えるために操作される排出方向操作部と、を具備し、少なくとも前記貨幣搬送手段に不具合が発生した場合に前記貯留部に前記排出貨幣を貯留することを特徴とする遊技用装置。
【請求項２】
前記貨幣搬送手段の異常発生を検出する異常検出手段を具備し、前記排出方向切り替え手段は、前記異常検出手段において異常が検出された場合に前記排出方向を貯留部側へ切り替える請求項１に記載の遊技用装置。
【請求項３】
前記貯留部内に貨幣が貯留されていることを報知する報知手段を具備する請求項１または２に記載の遊技用装置。
【請求項４】
前記貨幣処理手段は、紙幣を受付け、該受付け紙幣の識別を行う紙幣処理部を少なくとも有し、該紙幣処理部が対応する遊技機の上端より上部位置に設けられている請求項１〜３のいずれかに記載の遊技用装置。
【請求項５】
前記紙幣処理部が対応する遊技機の前面位置より前方方向に突出する突設部に収容され、該紙幣処理部の紙幣受付部が前記突設部の下面に設けられている請求項４に記載の遊技用装置。
【発明の詳細な説明】
【０００１】
【発明の属する技術の分野】
本発明は、遊技が可能とされた遊技場に設置された遊技機に対応して設けられ、硬貨や紙幣等の貨幣を受付けて、該受付貨幣の金額を遊技に使用可能な有価価値としてプリペイドカード等の遊技用記録媒体に価値加算を実施可能な遊技用装置に関する。
【０００２】
【従来の技術】
近年、多くの遊技場においてプリペイドカード等の遊技用記録媒体を用いて遊技を実施可能とする遊技用装置が使用されている。これら遊技用記録媒体を用いて遊技を実施可能とすることは、従来の現金にて遊技媒体であるパチンコ玉やコインを貸し出す方式に比較して、これら投入された現金を各貸出装置より逐次回収するための労力等を省くことができるという遊技場側にとっての利点がある一方、遊技者にとってはプリペイドカードを購入しなければ遊技を実施できないことから、プリペイドカードの残額が無くなった場合に遊技を継続したい場合には、新たなプリペイドカードを遊技島の端部位置等に設置された販売装置に出向いて購入する必要があって煩雑であるとともに、遊技場側にとっても、これら新たなプリペイドカードの購入に際して遊技者が遊技機を占有した状態にて席を離れることになるために、遊技機の稼働率が低下してしまう等の問題点が顕在化してきている。
【０００３】
このため、これらの問題を解消するために近年においては、現金（硬貨や紙幣）を投入することで新たなプリペイドカードを発行する発行機能や、現金（硬貨や紙幣）を投入することで、遊技者が一度購入したプリペイドカードに、投入金額に相当する遊技用有価価値である度数を加算更新する価値加算処理機能を有する遊技用装置が提案されてきている。
【０００４】
【発明が解決しようとする課題】
しかしながら、現金である硬貨や紙幣を受付け可能とすると、前述のようにプリペイドカードを使用する場合における現金回収の省力化の利点が損なわれることから、これら前述の発行機能や価値加算処理機能を有する遊技用装置には、投入貨幣を複数の遊技機が設置されている遊技島の端部位置等に搬送可能な貨幣搬送手段を設けることが多いが、これら貨幣搬送手段に不具合を生じると、新たな貨幣の受付けが実施できず、前記した新規プリペイドカードの発行や価値加算処理ができなくなってしまうという問題があった。
【０００５】
よって、本発明は上記した問題点に着目してなされたもので、たとえ貨幣搬送手段に不具合を生じても、新たな貨幣の受付けが可能であって、新規プリペイドカードの発行や価値加算処理を実施することのできる遊技用装置を提供することを目的としている。
【０００６】
【課題を解決するための手段】
前記した問題を解決するために、本発明の遊技用装置は、貨幣を受付け、該受付け貨幣の識別を行う貨幣処理手段と、該貨幣処理手段より排出された排出貨幣を、複数の遊技機が並設された遊技島の所定方向へ搬送する貨幣搬送手段と、遊技機における遊技に使用可能な遊技用有価価値の大きさを特定可能な情報が記録された遊技用記録媒体を受付け、該受付けた遊技用記録媒体の記録情報を少なくとも読み出し可能な遊技用記録媒体処理手段と、を具備し、前記貨幣処理手段にて識別された受付金額に相当する遊技用有価価値の大きさを特定可能な情報が記録された遊技用記録媒体を発行する発行処理、或いは前記受付金額に該当する遊技用有価価値の大きさを遊技用記録媒体の記録情報より特定される遊技用有価価値に加算更新する価値加算処理が可能な遊技用装置であって、前記貨幣処理手段は、前記排出貨幣を貯留するための貯留部を有し、前記遊技用装置は、前記排出貨幣の排出方向を、前記貯留部或いは貨幣搬送手段のいずれかに切り替える排出方向切り替え手段と、該排出方向切り替え手段の排出方向を切り替えるために操作される排出方向操作部と、を具備し、少なくとも前記貨幣搬送手段に不具合が発生した場合に前記貯留部に前記排出貨幣を貯留することを特徴としている。
この特徴によれば、仮に貨幣搬送手段に不具合を生じても、前記貨幣処理手段が排出貨幣を貯留可能な貯留部を有することで、新たな貨幣の受付けを実施できるようになり、新規の遊技用記録媒体の発行や価値加算処理の実行が不可となることを回避できる。また、前記排出方向操作部を操作することで、例えば貨幣搬送手段のメンテナンス時等において任意に排出方向の切り替えを実施できる。
【０００７】
本発明の遊技用装置は、前記貨幣搬送手段の異常発生を検出する異常検出手段を具備し、前記排出方向切り替え手段は、前記異常検出手段において異常が検出された場合に前記排出方向を貯留部側へ切り替えることが好ましい。
このようにすれば、前記貨幣搬送手段の異常発生時において、自動的に貯留部へ排出方向が切り替わるようになり、これら排出方向の切り替えに伴う労力を解消できる。
【０００８】
本発明の遊技用装置は、前記貯留部内に貨幣が貯留されていることを報知する報知手段を具備することが好ましい。
このようにすれば、貨幣貯留の有無を確認できることで、回収作業を効率化できる。
【００１０】
本発明の遊技用装置は、前記貨幣処理手段は、紙幣を受付け、該受付け紙幣の識別を行う紙幣処理部を少なくとも有し、該紙幣処理部が対応する遊技機の上端より上部位置に設けられていることが好ましい。
このようにすれば、貨幣の受付けを係員等が目視にて確認、注視できるようになり、これら貨幣の受付けに関連する不正の発生を極力防止できるようになる。
【００１１】
本発明の遊技用装置は、前記紙幣処理部が対応する遊技機の前面位置より前方方向に突出する突設部に収容され、該紙幣処理部の紙幣受付部が前記突設部の下面に設けられていることが好ましい。
このようにすれば、紙幣受付部と遊技者とが対面するようになり、紙幣挿入の操作性を向上できる。
【００１２】
【発明の実施の形態】
以下、図面に基づいて本発明の実施形態を説明する。尚、以下の実施例においては、遊技機としてパチンコ機を用いた例を示すが、本発明はこれに限定されるものではなく、その他の遊技機、例えばスロットマシン等の遊技機においても適用可能である。
【００１３】
（実施例）
図１は、本実施例の遊技用装置が適用された遊技島を示す外観斜視図であり、遊技島１は、その前後面（後面は図示せず）に遊技機であるパチンコ機２と、該パチンコ機２の側部位置に１対１にて設置される本実施例の遊技用装置を構成する遊技用記録媒体処理手段としてのカードユニット３と、が複数並設されており、該遊技島１の内部には、前記各パチンコ機２にパチンコ玉を供給する供給樋や、前記各パチンコ機２にて使用され、排出されたパチンコ玉を集めて前記供給樋に揚送する揚送装置等（図示略）が設けられている。
【００１４】
また、前記遊技島１の前後面上部位置には、外方に突出する態様にて突設部としての紙幣搬送路収容部８が島端から島端にかけて設けられており、各紙幣搬送路収容部８の内部には、各パチンコ機２毎に対応して設けられた本実施例の遊技用装置を構成する貨幣処理手段としての紙幣識別ユニット４が収容されているとともに、これら各紙幣識別ユニット４に連設されて該紙幣識別ユニット４より回収された紙幣を所定の搬送方向に搬送可能な複数の紙幣搬送ユニット１０２（図２参照）と、前記搬送方向における終端に位置し、これら紙幣搬送ユニット１０２から搬送されてきた紙幣を回収する紙幣収容部１１３を有する終端ユニット１０３（図２参照）と、が連結されて本実施例の遊技用装置を構成する貨幣搬送手段である紙幣搬送路７を形成するようにして収容されており、図２に示すように、前記紙幣搬送路収容部８の下面には、前記並設されているパチンコ機２並びにカードユニット３毎に対応するように、カードユニット３の直上位置に開口部１１４が形成されており、該開口部１１４に前記紙幣搬送ユニット１０２並びに終端ユニット１０３に連設された紙幣識別ユニット４の紙幣受付部である紙幣挿入口３３５（図３参照）が臨むように配置されている。
【００１５】
本実施例の遊技機であるパチンコ機２を図３〜図７に基づいて説明すると、該パチンコ機２は、図３に示すように、額縁状に形成されたガラス扉枠２０２を有し、該ガラス扉枠２０２の下部表面には打球供給皿２０３がある。打球供給皿２０３の上面所定箇所には、操作部１４が設けられているとともに、打球供給皿２０３の下部には、打球供給皿２０３から溢れた景品玉を貯留する余剰玉受皿２０４と打球を発射する打球操作ハンドル（以下、操作ノブという）２０５とが設けられている。
【００１６】
前記操作部１４の上面には、図６に示すように、遊技者により前記カードユニット３に設けられた後述するＩＣカード挿入口３１４に挿入された遊技用記録媒体であるＩＣカード３７（図１０参照）より読み出された遊技用有価価値としての度数を表示する度数表示部１７と、遊技の開始または前記打球供給皿に持玉が少なくなったか無くなった際に押圧操作されて、前記度数表示部１７に残度数が存在する場合に所定数量のパチンコ玉の貸出を実施する貸出ボタン１６と、遊技を終了する際に押圧操作されることにより、前記カードユニット３に挿入されているＩＣカード３７に新たな残度数が記録されて返却がなされる返却ボタン１５と、が設けられており、これら各部は操作部１４内部に設けられている操作基板１８上に実装されている。
【００１７】
次いで、前記ガラス扉枠２０２の内方には、遊技盤２０６が着脱可能に取付けられている。また、遊技盤２０６の前面には遊技領域２０７が設けられている。
この遊技領域２０７の中央付近には、図４に示すように、「特別図柄」と呼ばれる複数種類の識別情報可変表示するための可変表示部２０９と、「普通図柄」と呼ばれる複数種類の識別情報が可変表示される可変表示器２１０とを含む可変表示装置２０８が設けられている。尚、本実施例では、可変表示部２０９はＬＣＤ表示器（液晶表示器）にて形成されていて、特別図柄を可変表示可能とされている。具体的に、可変表示部２０９の表示エリアにおいては、横方向に並ぶ態様で３つの可変表示エリアを表示上形成し、それらのエリアにおいて、「左図柄」、「中図柄」、「右図柄」の３つの特別図柄が可変表示可能である。また、可変表示器２１０は、７セグメントＬＥＤよりなり、１つの図柄表示エリアがある。可変表示部２０９に表示される特別図柄は、後述するように打玉が始動入賞口２１４へ入賞することに基づいて可変開始される。一方、可変表示部２１０に表示される普通図柄は、後述するように打玉が通過ゲート２１１を通過することに基づいて可変開始される。
【００１８】
可変表示部２０９の下部には、始動入賞口２１４に入賞した始動入賞玉数を記憶して表示する４個の表示部（ＬＥＤ）を有する始動入賞記憶表示器２１８が設けられている。この例では、４個を上限として、始動入賞が記憶される毎に、始動入賞記憶表示器２１８のＬＥＤが１つ追加して点灯する。そして、可変表示部２０９において特別図柄の可変表示が開始される毎に、ＬＥＤが１つ滅灯する。
【００１９】
可変表示装置２０８の側部には、打玉を導く通過ゲート２１１が設けられている。可動片２１５は、ソレノイド２１６によって開状態とされる。通過ゲート２１１には、通過ゲート２１１を通過した打玉を検出するゲートスイッチ２１２がある。また、始動入賞口２１４に入賞した始動入賞玉は、遊技盤２０６の背面に導かれ、始動ロスイッチ２１７によって検出される。
【００２０】
可動片２１５の下方には、開閉板２２０が設けられた可変入賞球装置２１９が取付けられている。遊技状態が大当り状態（特定遊技状態）となれば、ソレノイド２２１によって開閉板２２０が傾動し、可変入賞球装置２１９の大入賞口が開口する。大入賞口に進入した玉のうち特定入賞領域（Ｖポケット）に入った入賞玉はＶカウントスイッチ２２２で検出される。一方、大入賞口内における特定入賞領域以外の通常入賞領域へ入賞した入賞玉はカウントスイッチ２２３で検出される。
【００２１】
遊技盤２０６には、複数の入賞口２２４ａ〜ｄが設けられている。遊技領域２０７の左右周辺には、遊技中に点灯表示される装飾ランプ２２５が設けられ、下部には、入賞しなかった打玉を回収するアウト口２２６がある。また、図３に示すように、遊技領域２０７の外側の左右上部には、効果音を発する２つのスピーカ２２７が設けられている。遊技領域２０７の外周には、遊技効果ＬＥＤ２２８ａおよび遊技効果ランプ２２８ｂ、２２８ｃが設けられている。そして、この例では、一方のスピーカ２２７の近傍に、景品玉払出時に点灯する賞球ランプ２５１が設けられ、他方のスピーカ２２７の近傍に、補給玉が切れたときに点灯する玉切れランプ２５２が設けられている。
【００２２】
前記打球操作ノブ２０５の操作によって駆動モータ２９４（図７参照）により揺動されるハンマーによって発射された打玉は、打球レールを通って遊技領域２０７に入り、その後、遊技領域２０７を流下していく。この際、発射勢いが弱すぎて前記遊技領域２０７に達しなかったパチンコ玉は、環流経路（図示略）を通じて前記余剰玉受皿２０４に環流されるようになっている。
【００２３】
また、前記遊技領域２０７に打ち込まれた打玉が通過ゲート２１１を通ってゲートスイッチ２１２で検出されると、可変表示器２１０に停止表示されている普通図柄が可変開始する。なお、可変表示器２１０の可変表示中に打玉が通過ゲート２１１を通過した場合にはその通過が記憶され、可変表示器２１０が停止して再度変動を開始可能な状態になってから前記通過記憶を「１」減算して可変表示器２１０が可変表示制御される。この通過記憶の上限はたとえば「４」に定められており、現時点での通過記憶数が通過記憶表示器（図示せず）により表示される。
【００２４】
また、打玉が始動入賞口２１４に入賞して始動入賞口スイッチ２１７で検出されると、特別図柄の変動を開始できる状態であれば、可変表示部２０９に表示される特別図柄がスクロールを始める。たとえば、すでに可変表示が開始されて特別図柄が変動中である等の理由によって特別図柄の変動をすぐに開始できる状態でなければ、始動入賞記憶を一つ増やす。
【００２５】
可変表示器２１０の可変表示動作後の表示結果が予め定められた特定の表示結果（たとえば７）となった場合に、始動入賞口２１４に設けられた可動片２１５が所定時間開成して遊技者にとって有利な状態となる。
【００２６】
この始動入賞口２１４にパチンコ玉が入賞して始動入賞口スイッチ２１７で検出されると、特別図柄の変動を開始できる状態であれば、可変表示装置２０８の可変表示部２０９において全特別図柄が可変表示（変動表示）を開始する。そして、その後、左,中,右の特別図柄が停止し、その停止表示結果が予め定められた特定の表示態様（たとえば７７７）となった場合に、特定遊技状態（大当り状態）が発生する。このような大当り状態が発生する特定の表示態様は、大当り図柄と呼ばれ、この例では予め複数種類定められている。このように大当り状態が発生した場合には、可変入賞球装置２１９の開閉板２２０が開成して遊技者にとって有利な第１の状態となる。この第１の状態は、所定期間（たとえば３０秒間）の経過または打玉の所定個数（たとえば１０個）の入賞のうちいずれか早い方の条件が成立することにより終了し、その後、遊技者にとって不利な第２の状態となる。第１の状態となっている可変入賞球装置２１９の大入賞口内に進入した打玉が特定入賞領域（Ｖポケット）に入賞してＶカウントスイッチ２２２により検出されれば、その回の第１の状態の終了を待って再度開閉板２２０が開成されて第１の状態となる。この第１の状態の繰返し継続制御は、最大１５回まで実行可能である。このような最大１５回実行可能である第１の状態となっている時期は、繰返し継続制御のラウンド（回）と呼ばれる。この例では、繰返し継続制御は、第１ラウンドから最大第１５ラウンドまで繰返し実行可能である。
【００２７】
また、可変表示装置２０８の可変表示部２０９で可変表示された左,中,右の特別図柄が同じ図柄の種類に一致した大当り図柄の組合せで停止表示されたときには前述したように大当りが発生するが、その大当り図柄が複数種類の大当り図柄のうちの予め定められた種類の大当り図柄（特別の表示態様の図柄）である場合には、通常遊技状態に比べて大当りが発生する確率が高く変動した確率変動状態（以下、確変状態ともいう）となる。このような確率変動状態の発生のきっかけとなる特別の表示態様の大当り図柄は、確変図柄とよばれる。以下、確変図柄により発生する大当りを確変大当りといい、確変図柄以外の大当り図柄（非確変図柄）により発生する大当りを非確変大当りという。
【００２８】
通常遊技状態中に、一旦、確変大当りが発生すると、その確率変動状態は、たとえば、少なくとも予め定められた確変継続回数（たとえば、１回、あるいは２回）分の大当りが発生するまで確率変動状態に継続制御される。また、確率変動状態中に確変大当りが発生すれば、その確変大当り以降、改めて確変継続回数が計数され、その後、少なくとも確変継続回数だけ大当りが発生するまで確率変動状態が継続する。そして、確変継続回数に達した大当りが確変図柄以外の非確変図柄によるものであった場合には、確率変動の生じていない通常遊技状態に戻る。
【００２９】
したがって、確率変動状態の継続制御に制限を設けない場合には、少なくとも確変継続回数に達した大当りが確変大当りである限り、無制限に確率変動状態が継続する。このパチンコ機２の場合には、ある程度、確率変動状態が継続すれば、一旦、確率変動状態への継続制御を終了させるべく、確率変動状態中に確変大当りが連続的に発生する回数について、上限回数が設定されている。そして、この上限回数に基づいて大当りの表示態様が非確変大当りとされた場合には、その時点で確率変動状態の継続制御が強制的に終了する。以下、このような制御を回数制限制御と呼ぶ。なお、回数制限制御の実行により、確変図柄での大当りを禁止する制限が行われること（これを継続規制状態という）は、通称、（確変）リミッタの作動と呼ばれる。
【００３０】
このように、回数制限制御の実行により、確変図柄での大当りが制限された場合において大当りが発生する場合には、確変図柄以外の通常の大当り図柄（非確変図柄）による大当りが発生する。したがって、回数制限制御が実行されると、確変図柄での大当りが一旦禁止される。そして、その回数制限状態は、次の大当りが発生すると解除され、確変図柄での大当り発生の禁止解除後は、再び、通常通りに確変図柄での大当りが許容される。
【００３１】
可変表示装置２０８の可変表示部２０９においては、リーチ状態が発生する場合がある。ここで、「リーチ状態」とは、可変表示装置２０８の可変表示部２０９が可変開始された後、表示制御が進行して表示結果が導出表示される前段階にまで達した時点でも、特定の表示態様となる表示条件から外れていない表示態様をいう。言い換えれば、リーチとは、表示状態が変化可能な可変表示装置を有し、該可変表示装置が時期を異ならせて複数の表示結果を導出表示し、該複数の表示結果が予め定められた特定の表示態様の組合せとなった場合に、遊技状態が遊技者にとって有利な特定遊技状態となる遊技機において、前記複数の表示結果の一部がまだ導出表示されていない段階で、既に導出表示されている表示結果が前記特定の表示態様の組合せとなる条件を満たしている表示状態をいう。また、別の表現をすれば、リーチとは、表示状態が変化可能な可変表示部を複数有する可変表示装置の表示結果が予め定められた特定の表示態様の組合せになった場合に、遊技状態が遊技者にとって有利な特定遊技状態となる遊技機において、前記可変表示装置の表示結果がまだ導出表示されていない段階で、前記特定の表示態様の組合せが表示されやすい可変表示態様となったと遊技者に思わせるための表示状態をいう。そして、たとえば、前記特定の表示態様の組合せが揃った状態を維持しながら複数の前記可変表示部による可変表示を行う状態もリーチ表示状態に含まれる。さらにリーチの中には、それが出現すると、通常のリーチ（ノーマルリーチ）に比べて、大当りが発生しやすいものがある。このような特定のリーチをスーパーリーチという。
【００３２】
また、リーチ状態とは、可変表示装置の表示制御が進行して表示結果が導出表示される前段階にまで達した時点での表示状態であって、前記表示結果が導出表示される以前に決定されている複数の可変表示領域の表示結果の少なくとも一部が前記特定の表示態様となる条件を満たしている場合の表示状態をもいう。
【００３３】
次に、パチンコ機２の背面の構造について図５に基づき説明する。パチンコ機２の遊技盤２０６の裏面側には、機構板２３６が設けられている。この機構板２３６の上部には玉タンク２３８が設けられ、前記遊技島１の前記供給樋より導出された供給管（図示略）よりパチンコ玉が玉タンク２３８に供給される。玉タンク２３８内のパチンコ玉は、誘導樋２３９を通って玉払出装置２９７に供給される。
【００３４】
機構板２３６には、可変表示部２０９の表示制御を行う表示制御基板２８０等が搭載された可変表示制御ユニット２２９、基板ケース２３２に覆われ遊技制御用マイクロコンピュータ等が搭載された遊技制御基板２３１、パチンコ玉の払出制御を行う払出制御用マイクロコンピュータ等が搭載された賞球制御基板２３７が設置されている。さらに、機構板２３６には、駆動モータ２９４の回転力を利用して遊技球を遊技領域２０７に発射する打球発射装置２３４と、打球発射装置の制御を行うマイクロコンピュータ等が搭載された発射制御基板２９１と、スピーカ２２７および遊技効果ランプ・ＬＥＤ２２８ａ,２２８ｂ,２２８ｃに信号を送るためのランプ制御基板２３５と、スピーカ２２７から出力する音声制御を行うマイクロコンピュータ等が搭載された音声制御基板２７０と、が設けられている。
【００３５】
本実施例のパチンコ機２の遊技制御基板２３１における回路構成の一例を図７に示す。
【００３６】
遊技制御基板２３１は、プログラムに従ってパチンコ機２を制御する基本回路２５３と、ゲートスイッチ２１２、始動入賞口スイッチ２１７、Ｖカウントスイッチ２２２、カウントスイッチ２２３、入賞球検出スイッチ２９９ａ〜ｄ、満タンスイッチ２１３（余剰玉受皿２０４の満タンを検出する満タンスイッチ２１３）からの信号を基本回路２５３に与えるスイッチ回路２５８と、可動片２１５を開閉するソレノイド２１６および開閉板２２０を開閉するソレノイド２２１を基本回路２５３からの指令に従って駆動するソレノイド回路２５９と、始動入賞記憶表示器２１８の点灯および点滅を行うとともに、可変表示器２１０と装飾ランプ２２５とを駆動するランプ・ＬＥＤ回路２６０とを含む。
【００３７】
また、遊技制御基板２３１は、基本回路２５３から与えられるデータに従って、大当りの発生を示す大当り情報、可変表示装置２０８の可変表示に利用された始動入賞玉の個数を示す始動情報、確率変動が生じたことを示す確変情報等を外部の管理コンピュータ等に対して出力する第１情報出力回路２６４を含む。
【００３８】
基本回路２５３は、ＲＯＭ２５４、ＲＡＭ２５５、ＣＰＵ２５６、Ｉ／Ｏポート２５７、および、クロック発生部２５０を含む。ＲＯＭ２５４は、ゲーム制御用のプログラム等の各種の情報（データ）を記憶するためのものである。ＲＡＭ２５５は、ワークメモリとして使用されるためのものである。ＣＰＵ２５６は、ゲーム制御用のプログラム等の各種の制御用プログラムに従って遊技制御動作等の制御動作を行う。Ｉ／Ｏポート２５７は、データおよび信号等の各種情報の入出力用に設けられた複数のポートを有する。クロック発生部２５０は、基本回路２５３が動作する場合の基準タイミングとなる動作クロックをＣＰＵ２５６等の基本回路２５３内の各部に与えるものである。
【００３９】
さらに、遊技制御基板２３１には、電源投入時に基本回路２５３をリセットするための初期リセット回路２６６と、電源投入後に基本回路２５３を定期的にリセットするための定期リセット回路２６５と、基本回路２５３から与えられるアドレス信号をデコードしてＩ／Ｏポート２５７のうちのいずれかのＩ／Ｏポートを選択するための信号を出力するアドレスデコード回路２６７とが設けられている。
【００４０】
基本回路２５３は、電源投入時において、初期リセット回路２６６により初期リセットされる。また、電源投入後、基本回路２５３は、定期リセット回路２６５により定期的（例えば、２ｍｓ毎）にリセットされ、割込み処理が実行される。これにより、割込み処理が実行される毎に、ゲーム制御用のプログラムが所定位置から再度実行される。
【００４１】
打玉を発射する打球発射装置２３４は、発射制御基板２９１上の回路によって制御される駆動モータ２９４で駆動される。そして、駆動モータ２９４の駆動力は、操作ノブ２０５の操作量に従って調整される。すなわち、発射制御基板２９１上の回路によって、操作ノブ２０５の操作量に応じた速度で打球が発射されるように制御される。
【００４２】
また、遊技制御基板２３１から表示制御基板２８０には、可変表示装置２０８の可変表示部２０９の表示制御に関する指令情報として、表示制御コマンドデータと、ストローブ信号としての割込信号（以下、表示制御信号ＩＮＴともいう）とが伝送される。表示制御基板２８０側では、表示制御コマンドデータＣＤの指令内容にしたがって、可変表示部２０９の表示制御を行う。
【００４３】
遊技制御基板２３１からランプ制御基板２３５には、ランプ制御基板２３５により制御が行われる遊技効果ＬＥＤ２２８ａ、賞球ランプ２５１、玉切れランプ２５２、および、遊技効果ランプ２２８ａ、２２８ｂの制御に関する指令情報としてのランプ制御信号等の情報が伝送される。
【００４４】
遊技制御基板２３１から音声制御基板２７０には、音声制御基板２７０によりスピーカ２２７から出力される効果音等の音声の制御に関する指令情報としての音声制御用コマンドデータ等の情報が伝送される。この音声制御用コマンドデータに応じて、音声制御基板２７０内に設けられた音声制御用のマイクロコンピュータは、スピーカ２２７からの効果音の発生等の音声の制御を行う。
【００４５】
また、基本回路２５３は、入賞球検出スイッチ２９９ａ〜ｄ検出信号と始動入賞口スイッチ２１７の検出信号、Ｖカウントスイッチ２２２の検出信号、カウントスイッチ２２３の検出信号に基づいて、所定個数の景品玉を払出すための賞球信号を賞球制御基板２３７に出力する。賞球制御基板２３７では、その出力されてきた賞球信号に基づいて玉払出装置２９７を制御して所定個数の景品玉を払出すための制御を行う。
【００４６】
具体的には、可変入賞球装置２１９の大入賞口に入賞した入賞玉については１個の入賞玉がカウントＳＷに検出されることで例えば１５個の景品玉が払出され、始動入賞口２１４に入賞した入賞玉については１個の入賞玉が始動入賞口ＳＷに検出されることでたとえば５個の景品玉が払出され、その他の入賞口２２４ａ〜ｄのいずれかに入賞した入賞玉については入賞玉１個が各入賞口に対応して設けられた入賞球検出ＳＷ２９９ａ〜ｄのいずれかに検出されることでたとえば５個の景品玉が払出されるように制御される。
【００４７】
このような２種類の個数の景品玉を払出制御するべく、遊技制御基板２３１は次のように制御動作を行う。始動入賞口スイッチ２１７、Ｖカウントスイッチ２２２またはカウントスイッチ２２３からの検出信号が入力されると、その検出信号を賞球の払出個数決定の際に用いる払出個数決定用データとして、スイッチに応じた賞球の払出個数別に一時的に内部に記憶する。その後、入賞球検出スイッチ２９９ａ〜ｄのいずれかの検出信号が入力されれば、その入力以前に始動入賞口スイッチ２１７からの検出信号があったかどうかを払出個数決定用データを参照することによって判断し、あった場合には遊技制御基板２３１は賞球制御基板２３７に対し「５」の賞球個数を払出指令するための賞球指令信号を出力する。
一方、入賞球検出スイッチ２９９ａ〜ｄのいずれかからの検出信号があった場合において、それ以前に始動入賞口スイッチ２１７、カウントスイッチ２２３からのいずれかからも検出信号が入力されていなかった場合には、遊技制御基板２３１は「５」の賞球個数の賞球指令信号を賞球制御基板２３７に出力する。賞球制御基板２３７においては、賞球指令信号に基づいて、玉払出装置２９７から賞球を払出させる制御が払出制御用マイクロコンピュータにより実行される。
【００４８】
また、満タンスイッチ２１３からの検出信号が満タン状態を示している場合には、その状況に応じて、賞球禁止指令信号を賞球制御基板２３７へ送り、玉払出装置２９７による賞球の払出しの停止をさせる。
【００４９】
また、賞球制御基板２３７上には、第２情報出力回路部２６８が設けられており、これら賞球制御基板２３７において制御される景品玉の払い出し数の情報等を外部出力できるようになっている。
【００５０】
また、賞球制御基板２３７は、前記カードユニット３のカードユニット制御基板（図示略）に設けられたＩ／Ｏポート３１９に接続ケーブル２６２（図５参照）を介して接続されており、後述の貸出完了信号（ＥＸＳ）やパチンコ機レディー信号（ＰＲＤＹ）が前記カードユニット３に設けられた後述のマイクロプロセッシングユニット（ＭＰＵ）３２１に出力されるようになっているとともに、前記カードユニット３のＭＰＵ３２１より出力される後述のカードユニットレディー信号（ＢＲＤＹ）や貸出要求完了確認信号（ＢＲＱ）が入力されるようになっている。
【００５１】
また、前記操作基板１８は、図８に示すように、前記カードユニット３のＩ／Ｏポート３１９に接続ケーブル２６２を介して接続されており、前記貸出ボタン１６が操作されて遊技者による玉貸し操作がなされた場合に出力される貸出入力信号や、返却ボタン１５が操作されて遊技者による後述のＩＣカード挿入口３１４に挿入されたＩＣカード３７の返却操作がなされた場合に出力される返却入力信号が前記カードユニット３のＭＰＵ３２１に出力されるようになっているとともに、該ＭＰＵ３２１より出力される前記度数表示部１７の表示データが入力されるようになっている。
【００５２】
次に、本実施例の遊技用装置を構成する貨幣処理手段としての紙幣識別ユニット４について説明すると、該紙幣識別ユニット４は、図３に示すように、下部に紙幣受付部としての紙幣挿入口３３５が設けられ、該紙幣挿入口３３５に投入された紙幣の識別を行う紙幣処理部である紙幣識別装置３３１が収容された紙幣識別部３２８と、該紙幣識別部３２８の上部に連設され、後に詳述する分岐部３２９と、該分岐部３２９の側部位置に連設される貯留部としての紙幣貯留ボックス３３０と、から構成されており、これら紙幣識別ユニット４は、前述のように紙幣搬送ユニット１０２または終端ユニット１０３に連設され、これら紙幣搬送ユニット１０２や終端ユニット１０３とともに、遊技島１の紙幣搬送路収容部８に収容され、対応するパチンコ機２並びにカードユニット３の直上位置に設けられた開口部１１４に前記紙幣識別部３２８の紙幣挿入口３３５が臨むようにして配置されている。
【００５３】
このように本実施例では、これら紙幣識別ユニット４がパチンコ機２よりも上部位置に設けられており、このようにすることは紙幣の投入を係員等が目視にて確認、注視できるようになり、これら紙幣の投入に関連する不正の発生を極力防止できることから好ましいが本発明はこれに限定されるものではない。
【００５４】
更に、これら紙幣識別ユニット４は、対応するパチンコ機２の上部位置に、該パチンコ機２の前面位置よりも前方に突出する紙幣搬送路収容部８に収容され、該紙幣搬送路収容部８の下面に設けられた開口部１１４に、前記紙幣識別部３２８の紙幣挿入口３３５が臨むようにして配置されており、これら紙幣挿入口３３５と遊技者とが対面するようになることから紙幣挿入の操作性を向上させることができる。
【００５５】
また、前記紙幣識別部３２８における紙幣挿入口３３５の近傍には、前記紙幣貯留ボックス３３０内の後述する貯留センサ３３８にて貯留紙幣が検出されている場合に点滅点灯される報知手段としての貯留ランプ３３７が設けられており、該貯留ランプ３３７は、紙幣識別ユニット４を設置した際に、前記紙幣挿入口３３５とともに前記開口部１１４に臨むように配置され、外部から目視可能に配置される。
【００５６】
また、前記紙幣識別部３２８の内部に収容された紙幣識別装置３３１は、紙幣挿入口３３５より投入された紙幣の検出および該紙幣の種類と真贋の識別を行い、投入された紙幣が正規の紙幣である場合に該投入された紙幣を上部の紙幣排出口３４２（図１４参照）より前記分岐部３２９内に送り出すとともに、正規の紙幣でない場合に投入された紙幣を前記紙幣挿入口３３５より返却する処理を実施するようになっている。
【００５７】
また、これら紙幣識別装置３３１は紙幣識別ユニット４における各部の制御を実施する制御部３４１に接続されており、該制御部３４１は、電源投入時において前記金額種別信号をＯＮとして、前記Ｉ／Ｏポート３３２並びに信号ケーブル３３３を介してカードユニット３に出力するようになっており、前記紙幣挿入口３３５より紙幣が挿入され、紙幣識別装置３３１にて正規の紙幣であると識別されると、前記金額種別信号を所定期間（本実施例では１００ｍｓ）ＯＦＦとし、再びＯＮとするＯＦＦ／ＯＮ制御が、前記識別された紙幣の金額の大きさに応じて繰返し実施されるようになっている（本実施例では１０００円毎に１回のＯＦＦ／ＯＮ制御を実施）。
【００５８】
次いで、本実施例の遊技用装置を構成する遊技用記録媒体処理手段としてのカードユニット３について説明すると、その前面には、図３に示すように、点灯によりカードユニット３の動作を報知するとともに、前記紙幣識別ユニット４より出力される金額種別信号が一定期間以上（本実施例では１０００ｍｓ以上）検出されない場合に点滅点灯される動作ランプ３０１と、前記ＩＣカード３７を挿入可能とされたＩＣカード挿入口３１４と、該ＩＣカード挿入口３１４に挿入されているＩＣカード３７の排出を遊技者に報知するカードインジケータ３１３と、が設けられている。
【００５９】
このカードユニット３の構成を図８に基づいて説明すると、前記動作ランプ３０１や、カードインジケータ３１３に加えて、前記ＩＣカード挿入口３１４に連設され、挿入されるＩＣカード３７に記録されている後述の識別情報（ＩＤ）や遊技用有価価値である度数の読み出し並びに発行時の購入金額に基づく度数や遊技により更新された新たな度数の書き込み等を行うＩＣカードリーダライタ３１７と、前記挿入されたＩＣカード３７から読み出しおよび書き込まれる度数等を記憶するとともに、後述するＭＰＵ３２１が実行する制御内容等が記述された制御プログラム等を記憶する記憶部３１８と、前記接続ケーブル２６２が接続され、前記パチンコ機２の賞球制御基板２３７や操作基板１８との各種信号の入出力が行われるＩ／Ｏポート３１９と、前記信号ケーブル３３３が接続され、紙幣識別ユニット４からの前記金額種別信号の入力が行われるＩ／Ｏポート３２２と、通信ケーブル３２６を介して図示しない管理コンピュータとのデータ通信を行うための通信部３２５と、これら各部並びに前記操作基板１８に実装された度数表示部１７の制御等を行う前記ＭＰＵ３２１と、を具備しており、これら各部は図８に示すように接続されている。
【００６０】
また、これら各カードユニット３は、通信ケーブル３２６を介して図示しない管理コンピュータに接続されており、前記ＩＣカード３７が発行された場合や、ＩＣカード３７が挿入された場合や、該挿入されているＩＣカード３７から読み出され記憶部３１８に記憶されている度数に変更が加えられた場合や、該挿入されているＩＣカード３７の返却処理等が行われた場合に、該ＩＣカード３７に記録された後述の識別情報（ＩＤ）や度数データ、変更された度数データ等が前記管理コンピュータに出力されるようになっている。
【００６１】
本実施例に用いた前記ＩＣカードリーダライタ３１７の構成を図９に基づいて説明すると、該ＩＣカードリーダライタ３１７の内部には、前記ＩＣカード挿入口３１４からのＩＣカード３７の挿入並びに移動を検知する挿入センサ３９７や、前記ＩＣカード挿入口３１４から延設され、ＩＣカード３７がスライド可能とされたガイドレール３９８と、該ガイドレール３９８を挟むように配設されて該ＩＣカード３７の移動を、駆動モータ３８６、３９３にて駆動回転されることにより実施する搬送ローラ３８７、３８８及び駆動モータ３９９にて駆動回転されることにより実施する搬送ローラ３９５と、前記搬送ローラ３８７、３８８の一方側に張架された搬送ベルト３９１と、から成る搬送機構や、該搬送されるＩＣカード３７を後述の通信ヘッド３９０の略直上位置である通信位置に停止させるストップピンの出没を行うソレノイド３８９や、前記通信位置に停止されたＩＣカード３７への給電やデータ通信を行う通信ヘッド３９０や、前記の各部に接続されてその制御を実施する制御基板３９２が設けられており、挿入されているＩＣカード３７へのデータの読み取り及び書き込みが非接触状態にて可能とされている。
【００６２】
また、前記ガイドレール３９８の前記通信位置より内方位置には１枚のＩＣカード３７が貯留可能とされており、該内方に貯留されたＩＣカード３７は、前記ソレノイド３８９によりストップピンが上方に励磁された状態にて搬送ローラ３９５によりＩＣカード挿入口３１４方向に移送され、前記通信位置にて停止され、購入金額に基づく度数が記録された後、新規のＩＣカード３７として発行可能とされている。
【００６３】
また、挿入されているＩＣカード３７より読み出された遊技用有価価値である度数が「０（無価値）」となった場合において、前記ガイドレール３９８の内方に他のＩＣカード３７が貯留されていない場合には、前記ソレノイド３８９によりストップピンが上方に励磁された状態にてＩＣカード３７が搬送ベルト３９１並びに搬送ローラ３８７、３８８、３９５により付勢されて内方に向かって搬送され、これらＩＣカード３７が前記ガイドレール３８９の挿入方向終端位置に回収・貯留されるようになっているとともに、前記ＩＣカード３７が既に貯留されている場合には、前記搬送ベルト３９１並びに搬送ローラ３８７、３８８により付勢されてＩＣカード挿入口３１４より排出されるようになっている。
【００６４】
前記ＩＣカードリーダライタ３１７に挿入されて使用される本実施例のＩＣカード３７の構成は、図１０に示すように所定厚みとされ、その内部が凹状とされた樹脂製の基体３８１の該凹部外周所定位置に、テ−プオ−トボンディング（ＴＡＢ）実装によりその内部にメモリ（図示せず）を内蔵した専用マイコン３８２が実装されるとともに、該専用マイコン３８２から該基体３８１の外周に沿うように設けられたパターンコイル３８３を有するフレキシブルプリント基板３８４が内挿され、該凹部全面がトップフィルム３８５にて覆われた構成とされており、これらＩＣカード３７は、前記ＩＣカードリーダライタ３１７に挿入されることで、該リーダライタから出力される電磁波が前記パターンコイル３８３に誘導起電力を生じさせて前記専用マイコン３８２が動作可能に付勢されるとともに、該パターンコイル３８３を介して図９に示す前記ＩＣカードリーダライタ３１７との各種のデータ通信を電磁波により非接触にて実施可能とされた非接触ＩＣカードとされている。
【００６５】
これらＩＣカード３７は、これらカードユニット３や遊技場の所定箇所に設けられたカード発行機（図示略）にて遊技者が購入できるようになっており、該購入に伴い発行されるＩＣカード３７においては、個々のＩＣカード３７を識別可能な識別情報（ＩＤ）が予め記録されているとともに、前記管理コンピュータには、これら各ＩＣカード３７に記録された度数情報等が各ＩＤ毎に登録され、前記ＩＣカード３７に記録された度数が、カードユニット３における後述の貸出処理の実施により減算されたり、該カードユニット３における追加入金処理の実施により加算される等、該ＩＣカード３７の記録情報が変更される毎に前記管理コンピュータに登録された各ＩＤ毎の情報も逐次更新されて同様の情報に更新されるようになっており、これら発行されたＩＣカード３７の記録内容が前記管理コンピュータにより管理されるようになっている。
【００６６】
上述のように構成されたカードユニット３においては、前記ＩＣカード挿入口３１４にＩＣカード３７が挿入されることで、ＩＣカードリーダライタ３１７により該挿入されたＩＣカード３７に記録された度数が読み出され、記憶部３１８に記憶されるとともに、該記憶された度数に基づき前記パチンコ機２の遊技に使用されるパチンコ玉の貸出を行う貸出処理が実施可能とされている。
【００６７】
この貸出処理の制御状況を図８及び図１１に基づいて説明すると、まず前記パチンコ機２の賞球制御基板２３７は、該パチンコ機２の玉タンク２３８（図５参照）に玉が供給されてパチンコ玉の払出が可能な状態となるとスタンバイ状態となり、前記ＰＲＤＹをＯＮとしてカードユニット３のＭＰＵ３２１に出力する（Ｓ１）。
【００６８】
このようにＰＲＤＹが出力されている状態において前記貸出ボタン１６が操作されると、カードユニット３のＭＰＵ３２１は、前記ＢＲＤＹをＯＮとして前記賞球制御基板２３７に出力し（Ｓ２）、この状態において、更に前記ＢＲＱをＯＮとして前記賞球制御基板２３７に出力する（Ｓ３）。
【００６９】
次いで、前記賞球制御基板２３７は、前記ＭＰＵ３２１より出力されているＢＲＤＹを検出している状態においてＢＲＱを検出すると、前記ＥＸＳをＯＮとしてＭＰＵ３２１に出力する（Ｓ４）。
【００７０】
該ＥＸＳを検出したＭＰＵ３２１は、前記ＢＲＱの出力をＯＦＦとし、該ＢＲＱのＯＦＦを検出した賞球制御基板２３７は、玉払出装置２９７に玉払出信号を出力し、これに基づき１度数に該当する玉数（本実施例では２５玉）の払出が実施されるとともに、該払出の終了に基づき、前記ＥＸＳの出力をＯＦＦとする（Ｓ５）。
【００７１】
該ＥＸＳのＯＦＦを検出したＭＰＵ３２１は、前記カードユニット３のカード挿入口３１４に挿入されているＩＣカード３７より読み出されて記憶部３１８に記憶されている度数から１度を減算するとともに、前記度数表示部１７に表示されている度数から１度を減算して表示更新する（Ｓ６）。
【００７２】
ＭＰＵ３２１は、これら（Ｓ３）〜（Ｓ６）の制御を、１回の貸出ボタン１６の操作に基づいて貸し出される度数分繰返し実施し（図１１中においては５度分）、これら制御が終了した後、ＢＲＤＹをＯＦＦとして、貸出処理を完了する（Ｓ７）。
【００７３】
このようにカードユニット３のＭＰＵ３２１からＢＲＱが出力される回数に基づき、前記賞球制御基板２３７は１度分に該当する数量（２５玉）のパチンコ玉の貸出を実施するようになっており、このようにして貸出されたパチンコ玉を使用して遊技者はパチンコ機２における遊技を実施できるようになっている。
【００７４】
尚、本実施例においては、前記Ｓ６の段階で記憶部３１８の度数並びに度数表示部１７の度数から１度を減算するようにしているが、前記Ｓ３〜Ｓ５の処理を貸し出される度数分（例えば５度分の貸出であれば５回）繰返し実施した後、すなわち、貸し出される度数分のパチンコ玉が払い出された後、該貸し出された度数（例えば５度分の貸出であれば５度）を記憶部３１８の度数並びに度数表示部１７の度数から減算するようにしても良い。
【００７５】
また、前記カードユニット３においては、対応する紙幣識別ユニット４に紙幣が挿入され、該紙幣識別ユニット４より出力される金額種別信号のＯＦＦ／ＯＮの検出により特定される金額に基づく度数（５００円毎に５度を乗算した度数）を記録した新規のＩＣカード３７を可能とされている。
【００７６】
尚、本実施例のカードユニット３では、紙幣識別ユニット４に挿入された紙幣の金額を前記金額種別信号のＯＦＦ／ＯＮの回数の検出に基づき特定するようになっているが、本発明はこれに限定されるものではなく、例えば、これら紙幣識別ユニット４とカードユニット３とを双方向にデータ通信可能に接続し、紙幣識別ユニット４にて紙幣が挿入された際に、該挿入された紙幣の金額を特定可能な金額データをカードユニット３に出力し、該出力された金額データに基づいてカードユニット３は挿入紙幣の金額を特定できるようにしても良い。
【００７７】
以下、これら遊技用装置におけるＩＣカード３７の発行に伴う処理状況について説明する。
【００７８】
まず、ＩＣカード３７が挿入されていない状態において遊技者により所望の金額の紙幣が紙幣識別ユニット４の紙幣挿入口３３５に挿入されると、紙幣識別装置３３１により挿入された紙幣の真贋並びに種類が識別され、該識別に基づき挿入された紙幣が正規のものでない場合には挿入された紙幣は返却され、正規のものである場合には前記識別された挿入紙幣の金額に応じて金額種別信号の前記ＯＦＦ／ＯＮ制御が制御部３４１により繰返し実施される（挿入紙幣の金額が１０００円であれば、金額種別信号のＯＦＦ／ＯＮを１回実施し、５０００円札であれば、５回実施し、１００００円であれば１０回実施する）。
【００７９】
カードユニット３のＭＰＵ３２１は、これら金額種別信号のＯＦＦ／ＯＮの検出に基づき紙幣識別ユニット４に挿入された金額を特定し（ＯＦＦ／ＯＮ１回の検出毎に１０００円を特定）、該特定した金額に基づく度数を前記ＩＣカードリーダライタ３１７に出力し、これに基づきＩＣカードリーダライタ３１７は、前記ガイドレール３９８の内方より送り出されたＩＣカード３７に前記特定した金額に基づく度数を記録し、ＩＣカード排出口３１４より排出する。
【００８０】
この時点にて前記排出されたＩＣカード３７はその排出側先端部のみがＩＣカード挿入口３１４より突出して、目視可能に露出する態様にて排出されるようになっており、遊技者が前記ＩＣカード３７の排出側先端部をＩＣカード挿入口３１４の内部方向に押圧すると、搬送ローラ３８７の駆動が実施され、ＩＣカードリーダライタ３１７の内部に自動的に取り込まれ、該ＩＣカード３７に記録されたＩＤ並びに度数が読み出され、該読み出された度数が記憶部３１８に記憶されるとともに度数表示部１７に表示される読み出し処理が実施されるようになっており、これら挿入されたＩＣカード３７より読み出された度数を用いて前述の貸出処理が実施可能となるようになっている。
【００８１】
また、前記カードユニット３においては、前記挿入されているＩＣカード３７から読み出された度数が残存する場合に、対応する紙幣識別ユニット４に紙幣が投入され、これら紙幣識別ユニット４より出力される金額種別信号のＯＦＦ／ＯＮの検出により特定される金額に基づく度数（５００円毎に５度を乗算した度数）を前記残存する度数に加算する追加入金処理が可能とされている。
【００８２】
以下、これらカードユニット３における追加入金の処理状況について説明する。
【００８３】
まず、前記挿入されているＩＣカード３７から読み出された度数が残存する場合に、遊技者により所望の金額の紙幣が紙幣識別ユニット４の紙幣挿入口３３５に挿入されると、紙幣識別装置３３１により挿入された紙幣の真贋並びに種類が識別され、該識別に基づき挿入された紙幣が正規のものでない場合には挿入された紙幣は返却され、正規のものである場合には前記識別された挿入紙幣の金額に応じて金額種別信号の前記ＯＦＦ／ＯＮ制御が繰返し実施される（挿入紙幣の金額が１０００円であれば、金額種別信号のＯＦＦ／ＯＮを１回実施し、５０００円札であれば、５回実施し、１００００円であれば１０回実施する）。
【００８４】
カードユニット３のＭＰＵ３２１は、これら紙幣識別ユニット４からの金額種別信号のＯＦＦ／ＯＮの検出に基づき紙幣識別ユニット４に挿入された金額を特定し（ＯＦＦ／ＯＮ１回の検出毎に１０００円を特定）、この金額に基づく度数を前記記憶部３１８に記憶されている度数に加算更新し、該加算更新した度数を前記度数表示部１７に更新表示する処理が為され、これら加算更新された度数を用いて前述の貸出処理が実施可能となるようになっている。
【００８５】
また、本実施例のカードユニット３では、前記紙幣識別ユニット４より出力される金額種別信号が一定期間以上（１０００ｍｓ以上）検出されない場合に、前記ＭＰＵ３２１が紙幣識別ユニット４との接続不良と判断し、前記動作ランプ３０１を点滅点灯させ、これら紙幣識別ユニット４との接続不良を報知するようになっており、紙幣識別ユニット４の故障や信号ケーブル３３３の断絶等により、遊技用装置にトラブルが発生した場合に、これらトラブルの内容がカードユニット３と紙幣識別ユニット４との接続の不具合であることを遊技場の係員等が認知でき、これらトラブルに対して迅速に対処することができるようになっている。
【００８６】
次に、本実施例における遊技用装置を構成する搬送手段としての紙幣搬送路７について説明すると、該紙幣搬送路７は図２に示すように、前記搬送方向に沿って連結される複数の紙幣搬送ユニット１０２と、前記搬送方向の終端に連結される終端ユニット１０３と、からなり、このように構成された紙幣搬送路７が、前記遊技島１の紙幣搬送路収容部８に各々収容されている。
【００８７】
これら紙幣搬送ユニット１０２及び終端ユニット１０３の構成を図１２に基づいて説明すると、前記紙幣搬送ユニット１０２は、両端部が開口する管状の筐体内部に、上部搬送ベルト１０８と下部搬送ベルト１０９とが上下に当接するように架設され、その下部所定箇所に２台の前記紙幣識別ユニット４の分岐部３２９が連設された紙幣搬送部１０４と、前記上下部搬送ベルト１０８、１０９を所定方向に循環させるための駆動モータを有する駆動ユニット１０６と、前記駆動ユニット１０６に接続され（図１３参照）、前記上下部搬送ベルト１０８、１０９の循環制御等を実施するコントロールユニット１０７と、から構成されており、これら紙幣搬送ユニット１０２は、連設されている紙幣識別ユニット４の分岐部３２９から送り出された紙幣や隣接する紙幣搬送ユニット１０２の紙幣搬送部１０４を搬送されてきた紙幣を、前記紙幣搬送部１０４における上部搬送ベルト１０８と下部搬送ベルト１０９との間に挟持した状態にて図中矢印の示す搬送方向に搬送可能とされている。
【００８８】
また、前記終端ユニット１０３は、図２に示すように、前記紙幣搬送ユニット１０２の搬送方向終端部に、搬送されてきた紙幣を収容可能とされた紙幣収容部１１３が付設された構成とされており、該紙幣収容部１１３に収容された紙幣は、前記遊技島１の端部に設けられた紙幣取り出し扉１１６を開放することで、回収できるようになっている。
【００８９】
また、これら紙幣搬送ユニット１０２並びに終端ユニット１０３に設けられた駆動ユニット１０６は、図１３に示すように、駆動モータの過負荷を検出する異常検出手段としての過負荷検出センサ１１５を有しており、該過不可検出センサ１１５にて駆動モータの過負荷が所定時間（例えば１０秒間）以上検出された場合に、駆動ユニット１０６からコントロールユニット１０７に対して異常が出力されるようになっている。
【００９０】
また、これらコントロールユニット１０７は、図８並びに図１３に示すように、前記信号ケーブル３３４を介して連設される紙幣識別ユニット４の制御部３４１に接続されており、前記駆動ユニット１０６より異常が出力された際に、前記紙幣識別ユニット４における制御部３４１に対して切り替え指示信号を出力する制御が実施されるようになっている。
【００９１】
更に前記コントロールユニット１０７は、図１３に示すように、信号線１１８を介して他の紙幣搬送ユニット１０２及び終端ユニット１０３と接続され、前記駆動ユニット１０６より異常が出力された際に、これら接続されている他の紙幣搬送ユニット１０２及び終端ユニット１０３におけるコントロールユニット１０７に対して、異常信号を出力するようになっており、これら異常信号を検出した紙幣搬送ユニット１０２及び終端ユニット１０３においても、連設される紙幣識別ユニット４の制御部３４１に対して切り替え指示信号を出力する制御が実施されるようになっている。
【００９２】
次いで、前記紙幣識別ユニット４に設けられた分岐部３２９の構成について説明すると、分岐部３２９の内部には、図１４に示すように、前記紙幣識別装置３３１の紙幣排出口３４２から上部の紙幣送出口３４３にかけて延設されるガイドレール３４４と、該ガイドレール３４４の一方側に架設され、駆動モータ３４５による駆動ローラ３４６の回転によりガイドレール３４４内の紙幣の揚送を実施する搬送ベルト３４９と、からなる紙幣搬送ユニット１０２または終端ユニット１０３への搬送機構と、前記ガイドレール３４４の一方から側方に向かって連設される分岐ガイド３５０と、駆動モータ３５１の駆動により前記分岐ガイド３５０内に送り込まれた紙幣を揚送する揚送ローラ３５２と、駆動モータ３５１による駆動ローラ３５３の回転により、前記分岐ガイド３５０から送り込まれた紙幣を連設される紙幣貯留ボックス３３０内に移送する搬送ベルト３５４と、からなる紙幣貯留ボックス３３０への搬送機構と、が設けられており、前記ガイドレール３４４と分岐ガイド３５０との連設部分には、ソレノイド３４０の励磁により揺動する排出方向切り替え手段である進路変更板３５５が設けられており、該進路変更板３５５の揺動により、前記紙幣排出口３４２より排出された紙幣の搬送経路が切り替えられるようになっている。
【００９３】
前記分岐部３２９に設けられたソレノイド３４０は、図８に示すように、前記紙幣識別ユニット４の制御部３４１に接続されており、該制御部３４１により、連設される紙幣搬送ユニット１０２または終端ユニット１０３のコントロールユニット１０７から信号ケーブル３３４並びにＩ／Ｏポート３３２を介して出力される切り替え指示信号の検出に基づき、該ソレノイド３４０を励磁させ、進路変更板３５５を揺動させて、前記紙幣識別装置３３１より分岐部３２９に排出された紙幣の搬送経路が、紙幣搬送ユニット１０２または終端ユニット１０３への搬送経路から紙幣貯留ボックス３３０への搬送経路に切り替えられるようになっている。
【００９４】
これら搬送経路の切り替えに基づき、前記紙幣識別装置３３１よりガイドレール３４４内に排出された紙幣は、進路変更板３５５により分岐ガイド３５０内に送り込まれ、該分岐ガイド３５０により搬送ベルト３５４内に案内され、該搬送ベルト３５４により紙幣貯留ボックス３３０内に送り込まれて貯留されるようになっている。
【００９５】
これら紙幣貯留ボックス３３０内には、図１４に示すように貯留紙幣を検出する貯留センサ３３８が設けられ、該貯留センサ３３８はその検出状況を前記制御部３４１（図８参照）に出力するようになっており、該制御部３４１は、貯留センサ３３８により紙幣貯留ボックス３３０内部に送り込まれた貯留紙幣が検出されている状態において、前記紙幣識別部３２８における貯留ランプ３３７を点滅点灯させる制御を実施するようになっている。
【００９６】
以下、前記貨幣搬送手段としての前記紙幣搬送路７を構成する紙幣搬送ユニット１０２並びに終端ユニット１０３において異常が発生した際の処理状況について説明する。
【００９７】
まず、通常時において紙幣識別ユニット４の分岐部３２９における紙幣の搬送経路は、前記紙幣識別装置３３１の紙幣排出口３４２より排出された紙幣を上部に揚送し、紙幣送出口３４３から紙幣識別ユニット１０２または終端ユニット１０３に送り出す搬送経路とされている。
【００９８】
次いで、例えばこれら紙幣搬送ユニット１０２または終端ユニット１０３において紙幣詰まり等の原因により、紙幣搬送部１０４の上下部搬送ベルト１０８、１０９の循環が停止または減速する等の異常が発生した場合において、これら上下部搬送ベルト１０８、１０９の循環を実施する駆動ユニット１０６の駆動モータに過負荷が加わった際には、この過負荷が過負荷検出センサ１１５により検出されて、駆動ユニット１０６よりコントロールユニット１０７に対して異常が出力される。
【００９９】
コントロールユニット１０７では、これら駆動ユニット１０６からの異常の出力を所定時間（例えば１０秒間）以上検出すると、駆動ユニット１０６の過負荷異常と判断し、連設される紙幣識別ユニット４の制御部３４１に対して切り替え指示信号を出力するとともに、他の紙幣識別ユニット１０２または終端ユニット１０３のコントロールユニット１０７に対して異常信号を出力し、これら異常信号を検出した紙幣識別ユニット１０２または終端ユニット１０３のコントロールユニット１０７においても、連設される紙幣識別ユニット４の制御部３４１に対して切り替え指示信号が出力される。
【０１００】
次いで、これら切り替え指示信号を検出した紙幣識別ユニット４の制御部３４１においては、ソレノイド３４０を励磁させ、進路変更板３５５を揺動させて、前記紙幣識別装置３３１より分岐部３２９に排出された紙幣の搬送経路が、紙幣搬送ユニット１０２または終端ユニット１０３への搬送経路から紙幣貯留ボックス３３０への搬送経路に切り替えられる。
【０１０１】
このように本実施例では、前記紙幣搬送ユニット１０２または終端ユニット１０３において紙幣詰まり等の異常が発生した際に、紙幣搬送ユニット１０２または終端ユニット１０３への搬送経路から紙幣貯留ボックス３３０への搬送経路への切り替えが自動的に実施されるようになっており、これら経路の切り替えに伴う労力を解消できるようになっている。
【０１０２】
また、前記分岐部３２９における搬送経路の切り替えは、図８に示す排出方向操作部としての切り替えスイッチ３３９の操作によっても実施可能とされており、該切り替えスイッチ３３９の操作により、前記紙幣識別装置３３１より排出された紙幣を紙幣搬送ユニット１０２または終端ユニット１０３に送り出すか、紙幣貯留ボックス３３０にて貯留するかの切り替えを実施できるようになっており、例えば紙幣搬送路７のメンテナンス時等において任意に搬送経路の切り替えを実施できるようになっている。
【０１０３】
これら搬送経路の切り替えにより、前述の発行処理や追加入金処理に際して、紙幣識別装置３３１にて識別されて紙幣排出口より排出された紙幣は、分岐ガイド３５０に案内されて搬送ベルト３５３により紙幣貯留ボックス３３０内に送り出されて貯留されるようになる。
【０１０４】
この際、紙幣貯留ボックス３３０内に貯留された紙幣は貯留センサ３３８により検出され、該検出に基づき制御部３４１は、紙幣識別部３２８の貯留ランプ３３７を点滅点灯させて、遊技場の係員等に対して該紙幣貯留ボックス３３０内に紙幣が貯留されていることを報知するようになっており、紙幣貯留ボックス３３０内における紙幣の貯留の有無を確認できることで、回収作業を効率化できる。
【０１０５】
以上説明したように、本実施例の遊技用装置にあっては、仮に紙幣搬送路７において紙幣詰まり等の不具合が生じても、前記紙幣識別ユニット４に投入紙幣を貯留可能な紙幣貯留ボックス３３０が設けられているため、新たな紙幣の受付けを実施できるようになり、前記紙幣搬送路７の不具合による新規のＩＣカード３７の発行処理や追加入金処理処理の実行が不可となることを回避できる。
【０１０６】
前記各実施例における各要素は、本発明に対して以下のように対応している。
【０１０７】
本発明の請求項１は、貨幣（紙幣）を受付け、該受付け貨幣（紙幣）の識別を行う貨幣処理手段（紙幣識別ユニット４）と、該貨幣処理手段（紙幣識別ユニット４）より排出された排出貨幣（紙幣）を、複数の遊技機（パチンコ機２）が並設された遊技島１の所定方向へ搬送する貨幣搬送手段（貨幣搬送路７）と、遊技機（パチンコ機２）における遊技に使用可能な遊技用有価価値（度数）の大きさを特定可能な情報が記録された遊技用記録媒体（ＩＣカード３７）を受付け、該受付けた遊技用記録媒体（ＩＣカード３７）の記録情報を少なくとも読み出し可能な遊技用記録媒体処理手段（カードユニット３）と、を具備し、前記貨幣処理手段（紙幣識別ユニット４）にて識別された受付金額に相当する遊技用有価価値（度数）の大きさを特定可能な情報が記録された遊技用記録媒体（ＩＣカード３７）を発行する発行処理、或いは前記受付金額に該当する遊技用有価価値（度数）の大きさを遊技用記録媒体（ＩＣカード３７）の記録情報より特定される遊技用有価価値（度数）に加算更新する価値加算処理（追加入金処理）が可能な遊技用装置であって、前記貨幣処理手段（紙幣識別ユニット４）は、前記排出貨幣（紙幣）を貯留するための貯留部（紙幣貯留ボックス３３０）を有し、前記遊技用装置は、前記排出貨幣の排出方向を、前記貯留部或いは貨幣搬送手段のいずれかに切り替える排出方向切り替え手段（進路変更板３５５）と、該排出方向切り替え手段の排出方向を切り替えるために操作される排出方向操作部（切り替えスイッチ３３９）と、を具備し、少なくとも前記貨幣搬送手段（紙幣搬送路７）に不具合が発生した場合に前記貯留部（紙幣貯留ボックス３３０）に前記排出貨幣（紙幣）を貯留する。
【０１０８】
本発明の請求項２は、前記貨幣搬送手段（紙幣搬送路７）の異常発生を検出する異常検出手段（過負荷検出センサ１１５）を具備し、前記排出方向切り替え手段（進路変更板３５５）は、前記異常検出手段（過負荷検出センサ１１５）において異常が検出された場合に前記排出方向を貯留部側へ切り替える。
【０１０９】
本発明の請求項３は、前記貯留部（紙幣貯留ボックス３３０）内に貨幣（紙幣）が貯留されていることを報知する報知手段（貯留ランプ３３７）を具備する。
【０１１１】
本発明の請求項４は、前記貨幣処理手段（紙幣識別ユニット４）は、紙幣を受付け、該受付け紙幣の識別を行う紙幣処理部（紙幣識別装置３３１）を少なくとも有し、該紙幣処理部（紙幣識別装置３３１）が対応する遊技機（パチンコ機２）の上端より上部位置に設けられている。
【０１１２】
本発明の請求項５は、前記紙幣処理部（紙幣識別装置３３１）が対応する遊技機（パチンコ機２）の前面位置より前方方向に突出する突設部（紙幣搬送路収容部８）に収容され、該紙幣処理部（紙幣識別装置３３１）の紙幣受付部（紙幣挿入口３３５）が前記突設部（紙幣搬送路収容部８）の下面に設けられている。
【０１１３】
以上、本発明の実施形態を図面により前記実施例にて説明してきたが、本発明はこれら実施例に限定されるものではなく、本発明の主旨を逸脱しない範囲における変更や追加があっても本発明に含まれることは言うまでもない。
【０１１４】
例えば、前記実施例の遊技用装置においては、遊技者は貨幣である紙幣のみを用いて新規のＩＣカード３７の発行処理または追加入金処理を実施できるようになっているが、本発明はこれに限定されるものではなく、硬貨を用いて実施するものや、紙幣と硬貨の双方を用いて実施するものであっても良く、これら紙幣あるいは硬貨の少なくともどちらか一方を用いて発行処理または追加入金処理が実施できるようになっていれば良い。
【０１１５】
また、前記実施例では、１台のパチンコ機２に対して１組のカードユニット３及び紙幣識別ユニット４が設けられているが、本発明はこれに限定されるものではなく、２台のパチンコ機２に対して１組としたものとしても良い。
【０１１６】
また、前記実施例においては、遊技用記録媒体処理装置としてのカードユニット３と遊技機としてのパチンコ機２とを別体としているが、本発明はこれに限定されるものではなく、これらパチンコ機と遊技用記録媒体処理装置の機能を有する一体型のものとしても良い。
【０１１７】
また、前記実施例における貨幣処理手段である紙幣識別ユニット４とカードユニット３とが別体にて形成されているが、本発明はこれに限定されるものではなく、貨幣処理手段をカードユニット３の筐体内に一体として形成するようにしても良い。
【０１１８】
また、前記紙幣搬送路７は、ユニット構成とされた紙幣搬送ユニット１０２と、終端ユニット１０３とを一本状に連結することで形成されているが、本発明はこれに限定されるものではなく、これらを当初から一本状の搬送路として構成するようにしても良い。
【０１１９】
また、前記実施例では遊技用記録媒体としてのＩＣカード３７に遊技用有価価値としての度数が直接記録されるようになっており、これら度数を読み出して貸出処理を実施しているが、本発明はこれに限定されるものではなく、前記ＩＣカード３７に予め付与されたＩＤ等の識別符号を記録しておき、該識別符号（ＩＤ）に対応付けて度数等の遊技用有価価値を管理コンピュータ等に登録し、前記識別符号（ＩＤ）を読み出すことにより、前記管理コンピュータ等に登録されている遊技用有価価値を特定するようにしても良いし、セキュリティ向上のためにこれら管理コンピュータとＩＣカード３７の双方に遊技用有価価値を登録、記録しておき、使用時においてこれら双方のデータを比較して不正を防止するようにしても良い。
【０１２０】
また、前記実施例では遊技用記録媒体として非接触のＩＣカードを用いており、実施例２では磁気カードを用いているが、本発明はこれらに限定されるものではなく、これを接触型のＩＣカード等としても良いし、更には前記のように識別符号（ＩＤ）を用いて遊技用有価価値を特定する場合等には、記録媒体を特定可能な前記識別情報であるＩＤ等の情報を少なくとも読み取り可能に記録できるものであれば良く、例えばバーコード等の所定の情報記録シンボル等が読み取り可能にプリントされた媒体等であっても良い。
【０１２１】
また、前記実施例では、遊技用有価価値の形態として度数を用いているが、本発明はこれに限定されるものではなく、例えばこれら遊技用有価価値をポイントや相当するパチンコ玉数やコイン数としても良く、その形態は任意に選択すれば良い。
【０１２２】
また、前記実施例、２においては、遊技媒体としてパチンコ玉を用いているが、これら遊技媒体をコインや点数、更には後述する画像式のパチンコ機やスロットマシン等における画像にて形成されたパチンコ玉やコイン等としても良く、これら遊技媒体は遊技において使用される媒体であれば、本発明の遊技媒体に含まれるものであり、その形態が限定されるものではない。
【０１２３】
また、前記実施例においては、遊技媒体であるパチンコ玉が外部に払い出される通常のパチンコ機２を用いており、実施例２では、パチンコ玉が指触不能に封入された封入式パチンコ機４０２を用いているが、本発明はこれら通常のパチンコ機２や封入式パチンコ機４０２のみならず、コインを用いて遊技を行うスロットマシンや、コインが外部に排出されることなく遊技可能なクレジット式のスロットマシン、さらにはこれら遊技媒体を用いずにデータ等により遊技可能な遊技機や、遊技盤やパチンコ玉が画像にて表示される画像式のパチンコ機や、リールが画像にて表示される画像式のスロットマシンにも適用可能であることはいうまでもなく、これら遊技機が限定されるものではない。
【０１２４】
【発明の効果】
本発明は次の効果を奏する。
【０１２５】
（ａ）請求項１の発明によれば、仮に貨幣搬送手段に不具合を生じても、前記貨幣処理手段が排出貨幣を貯留可能な貯留部を有することで、新たな貨幣の受付けを実施できるようになり、新規の遊技用記録媒体の発行や価値加算処理の実行が不可となることを回避できる。また、前記排出方向操作部を操作することで、例えば貨幣搬送手段のメンテナンス時等において任意に排出方向の切り替えを実施できる。
【０１２６】
（ｂ）請求項２の発明によれば、前記貨幣搬送手段の異常発生時において、自動的に貯留部へ排出方向が切り替わるようになり、これら排出方向の切り替えに伴う労力を解消できる。
【０１２７】
（ｃ）請求項３の発明によれば、貨幣貯留の有無を確認できることで、回収作業を効率化できる。
【０１２９】
（ｄ）請求項４の発明によれば、貨幣の受付けを係員等が目視にて確認、注視できるようになり、これら貨幣の受付けに関連する不正の発生を極力防止できるようになる。
【０１３０】
（ｅ）請求項５の発明によれば、紙幣受付部と遊技者とが対面するようになり、紙幣挿入の操作性を向上できる。
【図面の簡単な説明】
【図１】本発明の実施例における遊技用装置が設置された遊技島を示す斜視図である。
【図２】本発明の実施例における遊技島の一部破断正面図である。
【図３】本発明における実施例のパチンコ機並びにカードユニットの正面図である。
【図４】本発明における実施例のパチンコ機における遊技盤を示す拡大図である。
【図５】本発明における実施例のパチンコ機並びにカードユニットの背面を示す図である。
【図６】本発明の実施例におけるパチンコ機の操作部の上面図である。
【図７】本発明の実施例におけるパチンコ機の構成を示すブロック図である。
【図８】本発明の実施例におけるパチンコ機とカードユニットと紙幣識別ユニットとの接続状況並びにこれらカードユニット及び紙幣識別ユニットの構成を示すブロック図である。
【図９】本発明の実施例におけるカードユニットに設けられたＩＣカードリーダライタの構成を示す断面図である。
【図１０】本発明の実施例に用いた遊技用記録媒体としてのＩＣカードを示す一部破断上面図である。
【図１１】本発明の実施例におけるパチンコ機の賞球制御基板とカードユニットとから出力される各信号の出力状況を示す図である。
【図１２】本発明の実施例にて用いた紙幣搬送ユニットの構成を示す一部破断側面図である。
【図１３】本発明の実施例の紙幣搬送ユニット及び終端ユニットの構成並びに接続状況を示すブロック図である。
【図１４】本発明の実施例における紙幣識別ユニットの分岐部並びに紙幣貯留ボックスの一部破断側面図である。
【符号の説明】
１        遊技島
２        パチンコ機（遊技機）
３        カードユニット（遊技用記録媒体処理手段、遊技用装置）
４        紙幣識別ユニット（貨幣処理手段、遊技用装置）
７        紙幣搬送路（貨幣搬送手段、遊技用装置）
８        紙幣搬送路収容部（突設部）
１４      操作部
１５      返却ボタン
１６      貸出ボタン
１７      度数表示部
１８      操作基板
３７      ＩＣカード（遊技用記録媒体）
１０２    紙幣搬送ユニット
１０３    終端ユニット
１０４    紙幣搬送部
１０６    駆動ユニット
１０７    コントロールユニット
１０８    上部搬送ベルト
１０９    下部搬送ベルト
１１３    紙幣収容部
１１４    開口部
１１５    過負荷検出センサ（異常検出手段）
１１６    紙幣取り出し扉
１１８    通信ケーブル
２０２    ガラス扉枠
２０３    打球供給皿
２０４    余剰玉受皿
２０５    打球操作ハンドル（操作ノブ）
２０６    遊技盤
２０７    遊技領域
２０８    可変表示装置
２０９    可変表示部
２０９ａ  入賞球検出スイッチ
２１０    可変表示器
２１１    通過ゲート
２１２    ゲートスイッチ
２１３    満タンスイッチ
２１４    始動入賞口
２１５    可動片
２１６    ソレノイド
２１７    始動ロスイッチ
２１８    始動入賞記憶表示器
２１９    可変入賞球装置
２２０    開閉板
２２１    ソレノイド
２２２    Ｖカウントスイッチ
２２３    カウントスイッチ
２２４ａ  入賞口
２２４ｂ  入賞口
２２４ｃ  入賞口
２２４ｄ  入賞口
２２５    装飾ランプ
２２６    アウト口
２２７    スピーカ
２２８ａ  遊技効果ＬＥＤ
２２８ｂ  遊技効果ランプ
２２８ｃ  遊技効果ランプ
２２９    可変表示制御ユニット
２３１    遊技制御基板
２３２    基板ケース
２３４    打球発射装置
２３５    ランプ制御基板
２３６    機構板
２３７    賞球制御基板
２３８    玉タンク
２３９    誘導樋
２５０    クロック発生部
２５１    賞球ランプ
２５２    玉切れランプ
２５３    基本回路
２５４    ＲＯＭ（リードオンメモリー）
２５５    ＲＡＭ（ランダムアクセスメモリー）
２５６    ＣＰＵ（セントラルプロセッシングユニット）
２５７    Ｉ／Ｏポート
２５８    スイッチ回路
２５９    ソレノイド回路
２６０    ランプ・ＬＥＤ回路
２６２    接続ケーブル
２６４    第１情報出力回路
２６５    定期リセット回路
２６６    初期リセット回路
２６７    アドレスデコード回路
２６８    第２情報出力部
２７０    音声制御基板
２８０    表示制御基板
２９１    発射制御基板
２９４    駆動モータ
２９７    玉払出装置
２９９ａ  入賞球検出スイッチ
２９９ｂ  入賞球検出スイッチ
２９９ｃ  入賞球検出スイッチ
２９９ｄ  入賞球検出スイッチ
３０１    動作ランプ
３１４    ＩＣカード挿入口
３１７    ＩＣカードリーダライタ
３１８    記憶部
３１９    Ｉ／Ｏポート
３２１    マイクロプロセッシングユニット（ＭＰＵ）
３２２    Ｉ／Ｏポート
３２５    通信部
３２６    通信ケーブル
３２８    紙幣識別部
３２９    分岐部
３３０    紙幣貯留ボックス（貯留部）
３３１    紙幣識別装置（紙幣処理部）
３３２    Ｉ／Ｏポート
３３３    信号ケーブル
３３４    信号ケーブル
３３５    紙幣挿入口（紙幣受付部）
３３７    貯留ランプ（報知手段）
３３８    貯留センサ
３３９    切り替えスイッチ（排出方向操作部）
３４０    ソレノイド
３４１    制御部
３４２    紙幣排出口
３４３    紙幣送出口
３４４    ガイドレール
３４５    駆動モータ
３４６    搬送ローラ
３４８    フリーローラ
３４９    搬送ベルト
３５０    分岐ガイド
３５１    駆動モータ
３５２    搬送ローラ
３５３    搬送ローラ
３５４    搬送ベルト
３５５    進路変更板（排出方向切り替え手段）
３８１    基体
３８２    専用マイコン
３８３    パターンコイル
３８４    基板
３８５    トップフィルム
３８６    駆動モータ
３８７    搬送ローラ
３８８    搬送ローラ
３８９    電磁ソレノイド
３９０    通信ヘッド
３９１    搬送ベルト
３９２    制御基板
３９３    駆動モータ
３９４    フリーローラ
３９５    搬送ローラ
３９７    挿入センサ
３９８    ガイドレール
３９９    駆動モータ
【図１】
0004573283.tif 000002
【図２】
0004573283.tif 000003
【図３】
0004573283.tif 000004
【図４】
0004573283.tif 000005
【図５】
0004573283.tif 000006
【図６】
0004573283.tif 000007
【図７】
0004573283.tif 000008
【図８】
0004573283.tif 000009
【図９】
0004573283.tif 000010
【図１０】
0004573283.tif 000011
【図１１】
0004573283.tif 000012
【図１２】
0004573283.tif 000013
【図１３】
0004573283.tif 000014
【図１４】
0004573283.tif 000015